(57)【要約】      （修正有）【課題】表示機器の交換を可能にし、設置される表示機器の条件に応じたチルト操作力の設定処理の容易化を図るとともに、ヒンジ装置に対するチルト操作力の設定機能の向上を図る。【解決手段】チルトヒンジ１０と、スタンド本体部（スタンド台座８、スタンド）とを備える。チルトヒンジは、（表示機器４、ディスプレイ）を任意の角度に傾斜させて支持する。スタンド本体部は、チルトヒンジを介して表示機器を立設させ、チルトヒンジの着脱により表示機器の荷重に応じて表示機器に対するチルト操作力が調整される調整機構（チルトヒンジ設置部１２）が形成される。【選択図】図１
2014132179.tif 000002
【特許請求の範囲】
【請求項１】
表示機器を任意の角度に傾斜させて支持するチルトヒンジと、
前記チルトヒンジを介して前記表示機器を立設させ、前記チルトヒンジの着脱により前記表示機器の荷重に応じて前記表示機器に対するチルト操作力が調整される調整機構が形成されたスタンド本体部と、
を備えることを特徴とする、ヒンジ装置。
【請求項２】
前記スタンド本体部は、前記チルトヒンジの設置位置をガイドするガイド手段が形成され、
該ガイド手段は、前記表示機器に沿って前記チルトヒンジを配置させることを特徴とする、請求項１に記載のヒンジ装置。
【請求項３】
前記チルトヒンジは、他の前記チルトヒンジと連結させる連結手段を備え、
該連結手段により隣接した前記チルトヒンジ同士を連結してチルト動作させることを特徴とする、請求項１または請求項２に記載のヒンジ装置。
【請求項４】
前記スタンド本体部は、設置される前記表示機器の荷重に基づく必要トルク値から、少なくとも各チルトヒンジのトルク値に応じて設定された数の前記チルトヒンジが設置されることを特徴とする、請求項１ないし請求項３のいずれかに記載のヒンジ装置。
【請求項５】
表示機器と、
該表示機器を任意の角度に傾斜させて支持するチルトヒンジと、
前記チルトヒンジを介して前記表示機器を立設させ、前記チルトヒンジの着脱により前記表示機器の荷重に応じて前記表示機器に対するチルト操作力が調整される調整機構が形成されたスタンド本体部と、
を備えることを特徴とする、電子機器。
【発明の詳細な説明】
【技術分野】
【０００１】
本発明は、表示機器を支持するヒンジ装置および電子機器に関する。
【背景技術】
【０００２】
電子機器には、表示機器に対し前後方向への傾斜角度を調整可能にするチルト機構を備えたスタンドが用いられるものがある。このスタンドは、たとえば電子機器を利用するユーザに応じて表示機器の視認性の調整を可能にしており、表示機器を支持し、前後方向への可動に一定のトルクを有するヒンジ装置で構成されている。このヒンジ装置には、単数または複数のヒンジユニットを利用して表示手段をチルト動作させるものがある。
【０００３】
このようなヒンジ装置に関し、複数のヒンジユニットが連結して構成され、これらのヒンジユニットを連動して回動させるものが知られている（たとえば、特許文献１）。
【先行技術文献】
【特許文献】
【０００４】
【特許文献１】特開２０００−１８６７１０号公報
【発明の概要】
【発明が解決しようとする課題】
【０００５】
ところで、ヒンジ装置には、表示機器の操作に対するチルト操作力が設定されている。このチルト操作力は、ヒンジ装置によって支持された表示手段をチルトさせるために要する力であり、たとえば表示機器の質量や重心位置などの条件によって決まる。このチルト操作力は、たとえば重すぎればチルト操作の操作性が悪くなり、逆に軽すぎれば表示機器を傾斜させる際の所定角度への設定性が低くなる。そして表示機器を含む電子機器は、たとえば表示機器の条件に応じたチルト操作力に対し、ヒンジ装置に設定されるチルト操作力が大きく異なる場合、表示機器の設置時やチルト操作時に転倒などが生じる可能性がある。
【０００６】
ヒンジ装置は、たとえば最適なチルト操作力を得るために、ヒンジ部品のトルク値やヒンジ部品の設置位置などを表示手段の条件毎に設定されており、設計や製造処理が煩雑化している。そして表示機器の条件毎に専用設計されたヒンジ装置では、大きさや形状などが異なる他の表示機器に併用できないという課題がある。
【０００７】
また、ヒンジ装置では、たとえば設置されるヒンジ部品毎にトルク値の調整ができるものがある。しかし、他の表示機器に交換させて共用する場合、ヒンジ装置は、ヒンジユニットに対して手動でトルク値の調整を行うのでは設置作業が煩雑化する。そのためヒンジ装置は、最適なチルト操作力の設定処理が困難となるほか、条件毎のチルト操作力の設定が十分でない場合、電子機器自体の転倒の可能性があるなどの課題がある。
【０００８】
そこで、本開示のヒンジ装置および電子機器の目的は、表示機器の交換を可能にし、設置される表示機器の条件に応じたチルト操作力の設定処理を容易化することにある。
【０００９】
また、本開示のヒンジ装置および電子機器の他の目的は、ヒンジ装置に対するチルト操作力の設定機能の向上を図ることにある。
【課題を解決するための手段】
【００１０】
上記目的を達成するため、本開示の構成の一側面は、チルトヒンジと、スタンド本体部とを備える。チルトヒンジは、表示機器を任意の角度に傾斜させて支持する。スタンド本体部は、チルトヒンジを介して表示機器を立設させ、チルトヒンジの着脱により表示機器の荷重に応じて表示機器に対するチルト操作力が調整される調整機構が形成される。
【発明の効果】
【００１１】
本開示の構成によれば、次のいずれかの効果が得られる。
【００１２】
(1)  支持する表示機器の荷重に応じてスタンド本体部に設置するチルトヒンジの増減を可能にすることで、共通のスタンド本体部に対して異なる表示機器の併用が可能になる。
【００１３】
(2)  設置される表示機器の荷重を基準にスタンド本体部に設置したチルトヒンジの設置数を増減させることで、ヒンジ装置の支持力を調整でき、表示機器に対するチルト操作力の調整機能が向上する。
【００１４】
そして、本発明の他の目的、特徴および利点は、添付図面および各実施の形態を参照することにより、一層明確になるであろう。
【図面の簡単な説明】
【００１５】
【図１】第１の実施の形態に係る電子機器の構成例を示す図である。
【図２】組立て処理の一例を示すフローチャートである。
【図３】第２の実施の形態に係る表示装置の外観構成例を示す図である。
【図４】ディスプレイのチルト動作の例を示す図である。
【図５】スタンドの構成例を示す図である。
【図６】スタンドに対する係合片の配置状態例を示す図である。
【図７】ガイド爪の構成例を示す図である。
【図８】スタンドに形成されたチルトガイドの構成例を示す図である。
【図９】スタンドに対する係合片の配置状態例を示す図である。
【図１０】図９のＸ−Ｘ線断面を示す図である。
【図１１】チルトヒンジの外観構成例を示す図である。
【図１２】チルトヒンジの側面構成例を示す図である。
【図１３】チルトヒンジの平面構成およびトルク発生手段を示す図である。
【図１４】チルトヒンジを連結して設置した状態例を示す図である。
【図１５】チルトユニットを連結して設置した状態例を示す図である。
【図１６】ディスプレイのサイズに応じたチルトヒンジの設置例を示す図である。
【図１７】ディスプレイのサイズに応じたチルトヒンジの設置例を示す図である。
【図１８】ディスプレイのサイズに応じたチルトヒンジの設置例を示す図である。
【図１９】チルトヒンジの設定トルクおよびチルトヒンジ組合わせテーブルの一例を示す図である。
【図２０】表示装置の他の構成例を示す図である。
【図２１】ディスプレイのチルト動作例を示す図である。
【図２２】表示装置の組立状態例を示す図である。
【図２３】第３の実施の形態に係る表示装置の構成例を示す図である。
【図２４】ヒンジアタッチメント部品を利用した状態例を示す図である。
【図２５】ヒンジアタッチメントによるディスプレイの支持構造例を示す図である。
【図２６】第４の実施の形態に係る表示装置の構成例を示す図である。
【図２７】ディスプレイのチルト動作例を示す図である。
【図２８】支持部品の構成例を示す図である。
【図２９】スタンドに対する支持部品の設置状態例を示す図である。
【図３０】表示装置の他の構成例を示す図である。
【図３１】スタンドに支持部品を設置した状態例を示す図である。
【図３２】壁面に表示装置が設置された状態例を示す図である。
【図３３】第５の実施の形態に係る表示装置の外観構成例を示す図である。
【図３４】給電機能を備えるスタンドの構成例を示すブロック図である。
【図３５】端子部の他の構成例を示す図である。
【図３６】その他の実施の形態に係る表示装置の構成例を示す図である。
【図３７】その他の実施の形態に係る表示装置の構成例を示す図である。
【図３８】その他の実施の形態に係る表示装置の構成例を示す図である。
【発明を実施するための形態】
【００１６】
〔第１の実施の形態〕
【００１７】
図１は、第１の実施の形態に係る電子機器の構成例を示している。図１に示す構成は一例であり、本発明が斯かる構成に限定されるものではない。
【００１８】
図１に示す電子機器２は、本開示の電子機器の一例であり、たとえば表示機器４と、この表示機器４を支持して立設させるヒンジ装置６を含んでいる。この電子機器２は、ヒンジ装置６に対して設置される表示機器４として、たとえば異なる表示機器４ａ、４ｂ、４ｃの取替えを可能にする。ヒンジ装置６は、表示機器４に対して任意の角度に傾斜させて支持するチルト機能を備えたスタンドの一例であり、設置される表示機器４ａ、４ｂ、４ｃに応じたチルト操作力の調整機能を備えている。
【００１９】
表示機器４は、たとえばＬＣＤ（Liquid Crystal Display）表示器等で構成された表示部を備えている。この表示機器４は、たとえば図示しないＰＣ（Personal Computer）などの情報処理装置から入力された画像信号を表示するディスプレイ装置や表示部を備えた携帯端末装置、またはテレビジョン受像器などで構成される。そのほか表示機器４は、たとえば携帯型のゲーム機やタブレット型のＰＣなどであってもよい。この表示機器４は、たとえば表示部のサイズや外形または機器の種類などが異なる表示機器４ａ、４ｂ、４ｃが含まれる。
【００２０】
＜ヒンジ装置６の構成例について＞
【００２１】
ヒンジ装置６は、本開示のヒンジ装置の一例であり、表示機器４などを底面側から支持するスタンド台座８や表示機器４に設置されるチルトヒンジ１０、スタンド台座８に形成されたチルトヒンジ設置部１２を備える。スタンド台座８は、スタンド本体部の一例であり、表示機器４に設置されたチルトヒンジ１０の一端側を固定支持することで、チルトヒンジ１０を介して表示機器４を立設させる。このヒンジ装置６は、異なる表示機器４ａ、４ｂ、４ｃに切替え可能であるので、スタンド台座８の前後左右方向の幅は、たとえば表示機器４ａ、４ｂ、４ｃのうち、想定される外形の大きさや重さなどが最も大きなものに基づいて設定されればよい。
【００２２】
チルトヒンジ１０は、表示機器４を任意の角度に傾斜させて支持する手段の一例であり、たとえば表示機器４を支持する部分を回動させることで、前後にチルト動作させる回動機構を含んでいる。これによりチルトヒンジ１０は、たとえば回動により表示機器４の設置側を前後方向に傾倒させることで、表示機器４を傾斜させる。チルトヒンジ１０の回動機構には、たとえば回動方向に一定の外力が加えられることで回動するようにトルクが設定されている。
【００２３】
チルトヒンジ設置部１２は、スタンド台座８に形成され、チルトヒンジ１０の着脱により表示機器４の荷重に応じて表示機器４に対するチルト操作力が調整される調整機構の一例である。チルトヒンジ設置部１２は、たとえば設置される表示機器４ａ、４ｂ、４ｃに応じて設定され、または選択された１または複数のチルトヒンジ１０に対して、スタンド台座８に対する設置位置を設定する。すなわちこのチルトヒンジ設置部１２は、同一のトルク値が設定されたチルトヒンジ１０、または異なるトルク値が設定されたチルトヒンジ１０を組み合わせてユニット化して機能させる。チルトヒンジ設置部１２は、たとえば表示機器４の外部形状に沿ってチルトヒンジ１０を配置させる。
【００２４】
スタンド台座８には、チルトヒンジ１０が１または複数個設置され、これらのチルトヒンジ１０が設置される表示機器４に対して連動して機能する。これによりヒンジ装置６のチルト操作力は、設置された各チルトヒンジ１０のトルクの合力となる。このヒンジ装置６は、特定のトルクをもったチルトヒンジ１０を組み合わせ可能にブロック化し、その組み合わせ個数を増減させる構造である。従って、ヒンジ装置６は、たとえば異なる表示機器４ａ、４ｂ、４ｃに切替える場合、チルトヒンジ１０の設置数を増減することで、チルト操作力が調整される。また、ヒンジ装置６は、たとえばユーザの任意でチルト操作力を調整させる場合も、チルトヒンジ１０の設置数を増減させればよい。
【００２５】
ヒンジ装置６のチルト操作力は、たとえば利用する表示機器４ａ、４ｂ、４ｃの荷重に基づいて設定される。そしてスタンド台座８に設置されるチルトヒンジ１０は、たとえば設置される表示機器４ａ、４ｂ、４ｃに対してそれぞれ設置数や設置位置が設定されている。チルトヒンジ１０の設置位置および設置個数は、たとえば表示機器４の荷重の値に対応したデータテーブルが設定されてもよい。
【００２６】
＜組立て処理について＞
【００２７】
図２は、組立て処理の一例を示すフローチャートである。図２に示す処理内容および処理手順は一例であり、本発明が斯かる構成に限定されるものではない。
【００２８】
図２に示す処理は、電子機器またはヒンジ装置の製造方法の一例である。この組立て処理は、たとえば設置する表示機器４を特定し（Ｓ１）、特定された表示機器４の種別情報を利用してチルト操作力が設定される（Ｓ２）。この種別情報には、表示機器４の荷重情報として質量情報のほか、たとえば外形または表示部のサイズ情報、型番情報などが含まれる。この種別情報は、チルト操作力の設定処理に利用される情報の一例である。そして、設定されたチルト操作力に応じてチルトヒンジ設置部１２に対するチルトヒンジ１０の設置数や設置位置が決定される。
【００２９】
ヒンジ装置６には、たとえば予め種別情報に基づいて設定されたチルト操作力情報およびチルトヒンジ１０の設置数や設置位置が設定されている。これにより、特定された表示機器４の種別情報に対して予め設定された種別情報を参照することで、チルト操作力情報およびチルトヒンジ１０の設置数や設置位置が決定される。
【００３０】
チルト操作力の設定によりチルトヒンジ１０の設置数が決定すると、スタンド台座８のチルトヒンジ設置部１２に対してチルトヒンジ１０を設置し（Ｓ３）、このチルトヒンジ１０に対して表示機器４を設置する（Ｓ４）。
【００３１】
なお、チルトヒンジ１０は、たとえば表示機器４に接続した後に、チルトヒンジ設置部１２に設置させてもよい。また電子機器２の組立て処理では、予め設置された表示機器４を交換する場合、たとえば新たに設置する表示機器４の特定前に、表示機器４やチルトヒンジ１０の取り外し処理を行えばよい。そして、チルトヒンジ設置部１２には、チルトヒンジ１０を増減させて設置すればよい。
【００３２】
斯かる構成によれば、支持する表示機器４ａ、４ｂ、４ｃの荷重に応じてスタンド台座８に設置するチルトヒンジ１０の増減を可能にすることで、共通のスタンド台座８に対して異なる表示機器の併用が可能になる。また、設置される表示機器４ａ、４ｂ、４ｃの荷重を基準にスタンド台座８に設置したチルトヒンジ１０の設置数を増減させることで、ヒンジ装置６の支持力を調整でき、表示機器４ａ、４ｂ、４ｃに対するチルト操作力の調整機能が向上する。この電子機器またはヒンジ装置では、たとえば特定された表示機器毎に質量情報や重心位置情報、および支持するチルトヒンジまでの距離情報などによるチルト機構の設計が不要になり、製造処理の簡易化が図れる。
【００３３】
〔第２の実施の形態〕
【００３４】
図３および図４は、第２の実施の形態に係る表示装置の外観構成例を示している。図３、図４に示す構成は一例である。
【００３５】
図３に示す表示装置２０は、本開示の電子機器の一例であり、その構成は、たとえばスタンド２４および表示機器の一例であるディスプレイ２２が含まれる。表示装置２０は、たとえばディスプレイ２２として、たとえば大きさの異なるディスプレイ２２ａ、２２ｂ、２２ｃに対して１つのスタンド２４が共用される。このスタンド２４は、本開示のヒンジ装置の一例であり、チルトヒンジ１０を介してディスプレイ２２を支持して立設させるとともに、ディスプレイ２２の表示方向を傾斜させる。
【００３６】
スタンド２４には、ユーザ操作によって着脱可能なチルトヒンジ１０が単数または複数個設置され、支持されたディスプレイ２２に対して一定のチルト操作力を発生させている。このチルト操作力は、設置されるディスプレイ２２ａ、２２ｂ、２２ｃに応じてチルトヒンジ１０を組み合わせて設定される。ディスプレイ２２ａ、２２ｂ、２２ｃは、予め外形情報や荷重情報として質量情報などが設定されているものに限られず、たとえばチルトヒンジ１０に設置可能で質量情報が把握できるものであれば、外形情報などの詳細な機器情報が設定されていない製品などであってもよい。
【００３７】
スタンド２４は、たとえばディスプレイ２２の中心または重心を通過する中心軸Ｐに対して左右対称の位置に配置されればよい。そして、チルトヒンジ１０は、スタンド２４に対し、中心軸Ｐに近い位置で左右対称に設置される。各チルトヒンジ１０は、たとえば同一のトルクが設定されればよく、またはそれぞれ異なるトルクが設定されてもよい。スタンド２４は、異なるトルクのチルトヒンジ１０に対して、中心軸Ｐに対して左右対称に配置してもよく、または力の釣り合いから設置位置を調整してもよい。
【００３８】
チルトヒンジ１０は、たとえば一端側がスタンド２４に固定され、他端側がディスプレイ２２の下端側の一部に設置されることで、ディスプレイ２２を支持している。このチルトヒンジ１０には、図４に示すようにディスプレイ１０を一定の角度で立設させるとともに、ユーザによるチルト操作に対して一定の抵抗力を与えるトルクが設定され、これによりチルト操作力Ｆが決まる。スタンド２４に設置されたディスプレイ２２は、チルトヒンジ１０を中心にチルト操作を可能にしている。ディスプレイ２２は、たとえばスタンド２４側にチルトヒンジ１０の可動範囲制限手段を形成してチルト角度の範囲が設定されればよい。
【００３９】
＜スタンドの構成例について＞
【００４０】
図５はスタンドの構成例を示している。
【００４１】
図５に示すスタンド２４は、たとえば表示装置２０を机上などに設置させるスタンド台座３０や、このスタンド台座３０上にチルトヒンジ１０を設置させるチルトヒンジ設置部３２を備える。スタンド台座３０は、たとえば樹脂部材または金属部材で形成され、設置されるディスプレイ２２の高さおよび重さによって表示装置２０を転倒させないように一定の設置面積または重さが設定されればよい。
【００４２】
チルトヒンジ設置部３２は、本開示のチルト操作力が調整される調整機構の一例であり、たとえばスタンド台座３０と一体に形成されればよい。チルトヒンジ設置部３２の底面側には、たとえばチルトヒンジ１０の一部を貫通させてスタンド台座３０と連結させる連結孔３４が形成されている。この連結孔３４は、チルトヒンジ１０に対するガイド手段の一例であり、設定されたチルトヒンジ１０の設置位置に合わせて開口されている。連結孔３４は、たとえばチルトヒンジ１０の横幅に合わせて２つずつで構成されている。チルトヒンジ１０は、連結孔３４の位置に合わせて設置される。そしてチルトヒンジ１０は、たとえばスタンド台座３０の底面側から連結孔３４を貫通させた固定手段３７によってチルトヒンジ設置部３２内に固定される。
【００４３】
チルトヒンジ設置部３２は、たとえばディスプレイ２２の表示方向に対して両側面側および背面側に立壁部３６が形成される。立壁部３６は、チルトヒンジ１０の設置位置をガイドする手段の一例である。立壁部３６の側面部分は、たとえばディスプレイ２２の一部を係止してチルト動作を制限する手段が構成される。また、チルトヒンジ設置部３２は、たとえばディスプレイ２２の前面側が開口しており、この開口部分からチルトヒンジ設置部３２に対するチルトヒンジ１０が挿入されればよい。また、開口部分は、たとえば前後方向に傾斜するディスプレイ２２との接触を防止している。
【００４４】
チルトヒンジ設置部３２に設置されたチルトヒンジ１０は、ディスプレイ２２の外形に沿って直列に固定設置される。そして、これらのチルトヒンジ１０は、ディスプレイ２２と連動してチルト動作が行われ、ディスプレイ２２のチルト操作に対して、各チルトヒンジ１０に設定されたトルクの合力が発揮される。
【００４５】
ディスプレイ２２は、たとえば表示部の周囲に形成された筐体部において、スタンド２４との接合部分に係止部品４０が設置され、または形成されている。この係止部品４０は、たとえば樹脂部材または金属で構成され、筐体部と一体に形成してもよく、または別部品が図示しない締結部品や接着材により固定されてもよい。ディスプレイ２２に対する係止部品４０の設置数および設置位置は、ディスプレイ２２の荷重に応じて設定されたチルトヒンジ１０の設置数および設置位置に合わせて設定されればよい。
【００４６】
係止部品４０は、たとえばチルトヒンジ１０に対して嵌合され、チルトヒンジ１０を貫通させた固定部品４１が貫通して係止される。この固定部品４１は、たとえば係止部品４０やチルトヒンジ１０に対して締結されるネジやボルトなど、または係止ピン、ラッチ部品などが利用されればよい。
【００４７】
係止部品４０は、たとえばチルトヒンジ１０を貫通した固定部品４１を係止させる係止孔４２やチルトヒンジ１０に対してディスプレイ２２の移動を阻止する嵌合凸部４３を備えている。係止孔４２は、チルトヒンジ１０に形成された貫通孔７８（図１１）との間で挿通状態となる位置に形成される。これにより固定部品４１は、チルトヒンジ１０の貫通孔７８とチルトヒンジ１０内に嵌合された係止部品４０とを連通することで、ディスプレイ２２がチルトヒンジ１０から外れるのを阻止する。また嵌合凸部４３は、係止部品４０の一部をディスプレイ２２の前後方向に突出して形成され、チルトヒンジ１０の嵌合凹部７４（図１１）内に嵌合させる。これにより、係止部品４０は、ディスプレイ２２がチルトヒンジ１０に対して横方向に移動するのを阻止する。
【００４８】
＜チルトガイドの構成について＞
【００４９】
ディスプレイ２２は、たとえばチルトヒンジ設置部３２の立壁部３６の両側面に係合させる係合片４４、４６を備えている。この係合片４４は、たとえばチルトヒンジ設置部３２の一端側に向けて球面状の凸部４８が形成され、立壁部３６の一部に接触される。立壁部３６は、図６に示すように、チルトヒンジ設置部３２の外側に係合片４４を配置させる切り欠き部５０が形成されている。この切り欠き部５０には、たとえば係合片４４の凸部４８を回動可能に係合させる凹部５２が形成されている。この係合片４４の凸部４８および切り欠き部５０の凹部５２は、ディスプレイ２２のチルト動作を側面側からガイドするチルトガイドとして機能する。
【００５０】
また係合片４６は、図７に示すように、凸部４８が形成された係合片４４の対向面側にガイド爪５４を備えている。このガイド爪５４は、たとえば係合片４６と一体に形成されてもよく、または別部品を設置してもよい。ガイド爪５４は、たとえば立壁部３６の他端側に向けて突出し、ディスプレイ２２のチルト方向に対して一定の長さをもった弧形状で形成されればよい。
【００５１】
立壁部３６は、図８に示すように、ガイド爪５４と接触する側面側に係合片４６を配置させる切り欠き部５６が形成される。切り欠き部５６には、ガイド爪５４を係合させるガイド凹部５８が形成される。これにより、図９に示すガイド爪５４は、ディスプレイ２２のチルト動作に連動してガイド凹部５８内を移動する。ガイド爪５４は、たとえば図１０に示すようにチルトヒンジ１０の回動軸Ｐ２に近いガイド凹部５８内の上部側に接触する高さに設置される。これによりガイド爪５４は、たとえばチルト動作時にディスプレイ２２の荷重などにより上下方向に変位するのを防止でき、ガイド凹部５８内でのスライド移動がスムーズに行える。
【００５２】
そして、ガイド爪５４は、ガイド凹部５８の一端側に接触することで、ディスプレイ２２のチルト動作を停止させる。すなわちガイド爪５４およびガイド凹部５８は、ディスプレイ２２のチルト動作を側面側からガイドし、そのチルト量を制限するチルトガイドとして機能する。
【００５３】
＜チルトヒンジ１０の構成例について＞
【００５４】
図１１、図１２、図１３は、チルトヒンジの構成例を示している。図１１、図１２、図１３に示す構成は一例である。
【００５５】
チルトヒンジ１０の構成は、たとえば図１１に示すようにスタンド２４側に固定設置されるチルト台座６０と、このチルト台座６０に回動可能に設置されたチルトフレーム６２、チルトフレーム６２をチルト台座６０に回動可能に軸支するシャフト６４を含んでいる。チルト台座６０は、たとえばチルトヒンジ１０の底部に固定手段３７を貫通させる固定孔６６が形成される。固定孔６６は、チルトヒンジ設置部３２（図５）の連結孔３４の位置に合わせて配置され、固定手段３７によって固定される。固定孔６６および連結孔３４は、たとえば固定手段３７を締結させるネジ孔であってもよい。
【００５６】
チルトフレーム６２は、たとえばチルトヒンジ１０の上部側の前後に、支持片７０、７２が形成されている。支持片７０、７２は、間に形成された溝部７６にディスプレイ２２の係止部品４０を嵌合させて支持する。支持片７０、７２は、溝部７６に直交方向に嵌合凹部７４が形成され、係止部品４０の嵌合凸部４３を嵌合させる。また、支持片７０、７２は、たとえばディスプレイ２２の設置方向に対して平行な平板部分に、固定部品４１を貫通させる貫通孔７８が形成される。この貫通孔７８は、たとえば固定部品４１の固定構造に応じて、内部にネジ構造を形成してもよい。
【００５７】
そのほか支持片７０、７２は、たとえばディスプレイ２２の設置方向に対して直交な側面部分に連結凸部８０、８２または連結凹部８４、８６が形成される。この連結凸部８０、８２および連結凹部８４、８６は、隣接する他のチルトヒンジ１０に対する連結手段の一例である。
【００５８】
図１２に示すようにチルトヒンジ１０は、支持片７０、７２との間の溝部７６を、設置されるディスプレイ２２または係止部品４０の幅に合わせて形成すればよい。また、支持片７０、７２は、たとえば固定部品４１により溝部７６の幅を調整可能にしてもよい。そしてチルトヒンジ１０は、シャフト６４を中心とし、図１２のＢに示すようにチルト台座６０に対してチルトフレーム６２を回動することで、設置されたディスプレイ２２をチルトさせる。ディスプレイ２２に対するチルト操作力は、シャフト６４とチルトフレーム６２、チルト台座６０により発生する摩擦力、又は圧力等によりトルクを発生する。
【００５９】
チルトヒンジ１０には、たとえば図１３に示すように、シャフト６４に対し、トルク調整手段としてナット９０が設置されている。シャフト６４およびナット９０は、たとえば支持片７０、７２および連結凸部８０、８２の下部に覆われる位置に配置される。これによりチルトヒンジ１０は、連結させた他のチルトヒンジ１０に対してシャフト６４およびナット９０が接触するのを防止している。
【００６０】
トルク調整手段は、たとえば図１３のＢに示すように、ナット９０をシャフト６４に対して締めることでチルト台座６０が締付けられ、チルトフレーム６２を回動させるためのトルク値が設定される。
【００６１】
＜チルトヒンジ１０同士の連結状態について＞
【００６２】
図１４に示すスタンド２４には、連結凸部８０、８２と連結凹部８４、８６とを嵌合させることで連結した複数のチルトヒンジ１０が設置されている。連結されたチルトヒンジ１０は、各溝部７６が支持するディスプレイ２２の筐体に沿って直列に配置される。連結されたチルトヒンジ１０は、一体化して機能することで、各チルトヒンジ１０に設定されたトルク値の合力によってディスプレイ２２に対するチルト操作力が設定される。
【００６３】
チルトヒンジ設置部３２に対するチルトヒンジ１０の設置処理では、たとえば図１５に示すように、設置されるディスプレイ２２の荷重に応じて、設定したトルク値が得られるチルトヒンジ１０を一体化して固定してもよい。また、各チルトヒンジ１０を独立してそれぞれチルトヒンジ設置部３２に設置してもよい。
【００６４】
＜チルトヒンジの組み合わせ例について＞
【００６５】
スタンド２４は、たとえば図１６に示すように、軽量で小型のディスプレイ２２ａの場合、必要なチルト操作力も比例して小さくなるので、チルトヒンジ１０の設置数も少なくなる。そしてチルトヒンジ１０は、たとえばチルトヒンジ設置部３２にチルトヒンジ１０が奇数個設置可能な構成の場合、中央側で離間させて配置すればよい。または、２つのチルトヒンジ１０を連結させ、中央側から左右いずれかにずらして設置させてもよい。ディスプレイ２２は、たとえばチルトヒンジ１０の設置位置に合わせて係止部品４０を設置すればよい。
【００６６】
そしてスタンド２４は、図１７に示すように、表示部が大きいディスプレイ２２ｃが設置される場合、その荷重に応じてチルトヒンジ１０の設置数が増加される。スタンド２４は、たとえばディスプレイ２２ａからディスプレイ２２ｃに切替える場合、図１６に示すように離間して設置されたチルトヒンジ１０からディスプレイ２２ａを取り外す。そして、離間したチルトヒンジ１０間に新たにチルトヒンジ１０を設置し、ディスプレイ２２ｃを設置すればよい。
【００６７】
また、スタンド２４は、図１８に示すように、さらに大型の表示部を備えるディスプレイ２２ｂが設置される場合、設定されるチルト操作力に応じてチルトヒンジ１０の設置数が増加される。またスタンド２４は、たとえばディスプレイ２２ｃなどの異なるディスプレイ２２から新たなディスプレイ２２ｂに切替える場合であって、予め設置されていたチルトヒンジ１０のトルク値が足りない場合には、設定トルク値の高い他のチルトヒンジ１０に交換される。
【００６８】
なお、チルトヒンジ１０は、たとえばチルトヒンジ設置部３２に対して離間して設置する場合、図示しない別部品の連結手段を利用して離間したチルトヒンジ１０を一体化してもよい。これによりスタンド２４は、設定されるチルト操作力に応じて設置された複数のチルトヒンジ１０を連動して機能させることができる。
【００６９】
＜チルトヒンジ１０の設定例について＞
【００７０】
図１９は、チルトヒンジの設定トルクおよびチルトヒンジ組合わせテーブルの一例を示している。図１９に示す構成は一例である。
【００７１】
表示装置２０は、たとえばトルク値が設定されたチルトヒンジ１０を組み合わせてチルト操作力が設定される。チルトヒンジ１０には、たとえば図１９のＡに示すように予め異なる設定トルク値をもつ複数種類のユニットが用いられる。そして表示装置２０は、設定するチルト操作力に応じてチルトヒンジ１０の種類および設置数が決められて、設置される。チルトヒンジ１０の種類および設置数の決定には、たとえば図１９のＢに示すチルトヒンジ組合わせテーブル（以下、「組合わせテーブル」と称する）９２が利用される。
【００７２】
組合わせテーブル９２には、たとえばサイズ情報９４、装置質量情報９６、必要トルク情報９８、チルトユニット組合せ情報１００が含まれる。サイズ情報９４は、たとえばスタンド２４に設置されるディスプレイ２２の種別情報の一例であり、表示部の大きさ情報が示されている。また組合わせテーブル９２には、たとえばサイズ情報９４に対して表示部の種類を示すパネル情報が含まれてもよい。
【００７３】
装置質量情報９６は、ディスプレイ２２の荷重情報の一例である。必要トルク情報９８は、選択されたディスプレイ２２を立設させるのに必要な支持力およびディスプレイ２２に対する一定のチルト操作力が含まれる。この必要トルク情報９８は、装置質量情報９６の値に基づき、たとえば予め把握しているディスプレイ２２の重心位置（高さ）情報や、重心位置からチルトヒンジ１０の回動支点までの距離情報などを利用して算出される。必要トルク情報９８の値には一定の誤差が設定されており、たとえばチルトヒンジの組合わせを変更する場合、スタンド２４に設定されるトルク値が誤差範囲内に収まるようにチルトヒンジ１０を組合わせればよい。
【００７４】
また、必要トルク値は、たとえば対応するサイズ情報９４を有するものと、有しないものが含まれる。必要トルク値の算出に利用する重心位置や回転支点までの距離情報は、たとえばスタンド２４に設置される表示機器が他社製品またはディスプレイ２２以外の場合、斯かる情報を想定することはできない。そこで組合わせテーブル９２は、たとえば装置質量情報に対して一定の想定したサイズ情報、距離情報を利用して必要トルク情報９８が設定されてもよい。この設定した必要トルク情報９８は、たとえば設定された値に基づき、サイズ情報９４が得られている必要トルク情報９８に対して誤差情報を増減させてもよい。これにより、表示装置２０は、設置されるディスプレイ２２またはその他の表示機器に対し、同じ質量であってもチルト操作力の設定範囲を調整してもよい。
【００７５】
チルトユニット組合わせ情報１００は、装置質量から算出された必要トルク値に基づいてチルトヒンジ１０の種類および設置数が設定されている。チルトヒンジ１０は、図１９のＡに示すように、各チルトヒンジ１０に設定された設定トルク値と必要トルク情報９８とから種類および設置数が決定される。チルトユニット組合わせ情報１００は、チルトヒンジ１０の選択の一例であり、たとえば必要トルク値が満たされれば、チルトヒンジ１０の組合わせを異ならせてもよい。
【００７６】
なお、この設定される必要トルク値は、たとえば立設したディスプレイ２２に対して最低限のチルト操作力が設定されてもよい。これによりユーザによる設定操作において、ディスプレイ２２を立設できない値までチルト操作力が低下されるのを防止してもよい。
【００７７】
これにより、表示装置２０には、設置されるディスプレイ２２に対し、最適なチルト操作力を発揮するチルトヒンジ１０が設定される。
【００７８】
＜表示装置の他の構成例について＞
【００７９】
図２０、図２１、図２２は、表示装置の他の構成例を示している。図２０、図２１、図２２に示す構成は一例である。
【００８０】
図２０に示すスタンド２４は、たとえば表示装置２０を壁面１０１側に固定させ、ディスプレイ２２を垂直方向の壁面などに沿って支持させるとともに、この垂直面を基準にして水平方向に向けて任意の角度にチルトさせる。スタンド２４は、たとえば垂直面側に固定設置されるスタンド台座３０に対し、一部分を水平方向に突出させた立壁部１０２を有するチルトヒンジ設置部３２が形成される。立壁部１０２は、たとえば水平面またはそれに近似する角度の面にチルトヒンジ１０を介してディスプレイ２２を載置させる載置部１０６が構成される。この載置部１０６には、たとえばチルトヒンジ１０を固定手段３７によってチルトヒンジ設置部３２に連結させる連結孔３４が形成されている。連結孔３４は、載置部１０６に対し、チルトヒンジ１０が設置される範囲に複数形成されている。
【００８１】
チルトヒンジ設置部３２には、たとえば載置部１０６の両端側が鉛直方向に立設されており、この両端部分にディスプレイ２２に設置された係合片４４、４６と係合させてチルト動作をガイドするガイド溝１０４が形成される。
【００８２】
チルトヒンジ１０は、図２１に示すようにチルト台座６０（図１１）を載置部１０６上に設置させ、立壁部１０２の底面側から貫通した固定手段３７で固定される。このスタンド２４は、スタンド台座３０によりディスプレイ２２が壁面１０１側にチルトするのを阻止している。
【００８３】
スタンド台座３０は、たとえば壁面１０１に対して、ネジやボルトなどによって締結され、または接着材などを介して固定させてもよい。
【００８４】
スタンド２４に対するディスプレイ２２の設置処理では、たとえば図２２に示すようにディスプレイ２２の荷重情報に基づき、組合わせテーブル９２を参照してチルトヒンジ１０の種類および設置数が設定される。そして、ディスプレイ２２は、チルトヒンジ１０の設置数に応じた係止部品４０および係合片４４、４６が設置される。スタンド２４には、ディスプレイ２２の係止部品４０に合わせてチルトヒンジ１０が設置される。ディスプレイ２２は、たとえばチルトヒンジ１０の溝部７６（図１１）に対して係止部品４０を配置させるとともに、係合片４４、４６をチルトヒンジ設置部３２の両端側に配置させる。係合片４４には、たとえば凸部１１０が形成され、この凸部１１０がガイド溝１０４内に配置される。また係合片４６には、たとえば凸部１１４が形成され、立壁部１０２の側面に形成された凹部１１２内に嵌合される。
【００８５】
そして、チルトヒンジ１０は、固定部品４１が貫通孔７８内に貫通させることで、ディスプレイ２２を固定支持する。
【００８６】
なお、スタンド３０に固定支持されるディスプレイ２２は、ＰＣやテレビ受像機などの表示機器に限られず、携帯型のＰＣや携帯電話機、携帯ゲーム機などが含まれる。また、組合わせテーブル９２に設定された必要トルク情報９８およびその値によって設定されるチルトヒンジ１０の設置数は一定の基準値であり、ユーザの任意によってチルトヒンジ１０の設置数や設置位置の変更が可能であることはいうまでもない。
【００８７】
斯かる構成によれば、支持する表示機器の条件に応じてチルトヒンジ１０の増減を可能にすることで、共通のスタンド２４に対して異なる表示機器の併用が可能になる。スタンド２４によって支持されるディスプレイ２２などの表示機器の荷重情報に基づき、組合わせテーブル９２を利用してチルトヒンジ１０の設置数が決まるので、表示機器の設置処理や取替え処理の容易化が図れる。そしてスタンド２４は、チルトヒンジ１０の組み替えによってチルト操作力の設定が可能なユニット構造にすることで、表示機器に応じた組立て処理の簡易化が図れる。また組合わせテーブル９２によって表示機器の支持に必要なトルク値が示されることで、表示機器の設置処理や組み替えによってトルク値が不足するのを防止でき、スタンド２４の信頼性が高められる。
【００８８】
〔第３の実施の形態〕
【００８９】
図２３、図２４、図２５は、第３の実施の形態に係る表示装置の構成例を示している。図２３、図２４、図２５に示す構成は一例であり、本発明が斯かる構成に限定されない。
【００９０】
図２３に示す表示装置１２０は、本開示の電子機器の一例であり、ディスプレイ２２ａの荷重に応じて付け外しが可能にユニット化されたチルトヒンジ１０によってディスプレイ２２ａの支持およびチルト操作力が設定される。チルトヒンジ１０には、たとえば１種類または多数種類のトルクがそれぞれ設定されている。そして、スタンド２４は、ディスプレイ２２ａの荷重として、質量情報に基づいて算出される必要トルク値を満たすようにチルトヒンジ１０を組み合わせ、これらのトルク値の合計により、ディスプレイ２２ａを支持する。
【００９１】
ディスプレイ２２ａは、たとえばスタンド２４に対してヒンジアタッチメント部品１２２ａを介して設置される。このヒンジアタッチメント部品１２２ａは、ディスプレイ２２ａの一部を支持し、チルトヒンジ１０に接続される支持手段の一例であり、このヒンジアタッチメント部品１２２ａを介してディスプレイ２２ａがチルトヒンジ１０に設置される。
【００９２】
ヒンジアタッチメント部品１２２ａは、たとえば上部側にディスプレイ２２の筐体部分の一部に接触させて固定支持させる支持構造を備え、下部側にチルトヒンジ１０の溝部７６に係止させる係止部品１４０ａを備えている。ディスプレイ２２の支持構造は、たとえばディスプレイ２２の筐体を載置させる載置部１２４と、この載置部１２４の前後側両端に立壁され、ディスプレイ２２の前後を支持する支持フレーム１２６、１２８が含まれる。載置部１２４は、たとえばスタンド２４が載置される面に対して平行に形成される。
【００９３】
ヒンジアタッチメント部品１２２ａは、たとえばディスプレイ２２ａに沿った長辺方向の両端に、チルトヒンジ設置部３２の切り欠き部５０、５６内に設置される係止片１３０、１３２が形成される。この係止片１３０、１３２には、たとえばそれぞれ対向方向にガイド爪１３４、１３６が形成され、切り欠き部５０、５６内のガイド凹部５８に係合される。
【００９４】
ヒンジアタッチメント部品１２２ａは、たとえば支持可能なトルク範囲が設定されており、この支持可能なトルク範囲内のディスプレイ２２ａが設置される場合に利用される。図２４に示すように、ディスプレイ２２ｂは、たとえばディスプレイ２２ａよりも大型で荷重が大きい場合、チルトヒンジ１０の設置数が多くなる。そこで、表示装置１２０は、ディスプレイ２２ｂが設置される場合、チルトヒンジ１０との接続部分を増やしたヒンジアタッチメント部品１２２ｂが利用される。
【００９５】
ヒンジアタッチメント部品１２２の支持構造は、たとえば図２５のＡに示すように、ディスプレイ２２の横幅に合わせて支持フレーム１２６、１２８の間隔が設定される。この支持フレーム１２６、１２８は、たとえば載置部１２４に対して配置間隔が調整可能な構成であってよい。載置部１２４には、たとえばディスプレイ２２を固定するための接着材１４２が塗布されてもよい。
【００９６】
また、図２５に示すようにヒンジアタットメント部品１２２は、たとえば支持フレーム１２６、１２８を載置部１２４に対して交差方向に傾斜させて設置され、その先端部分を狭小状態に構成してもよい。これにより、ディスプレイ２２は、支持フレーム１２６、１２８によって挟持させて支持される。
【００９７】
なお、表示装置１２０では、ディスプレイ２２のサイズに応じてヒンジアタッチメント部品１２２を複数種類用いる場合を示したがこれに限られない。表示装置１２０は、例えばチルトヒンジ１０の設置数に関わらず、最も係止部品１４０ｂが多いヒンジアタッチメント部品１２２ｂを併用してもよい。表示装置１２０では、たとえばディスプレイ２２の荷重に基づいてチルトヒンジ１０の設置数が調整され、ヒンジアタッチメント部品１２２ｂを介してディスプレイ２２が設置される。この場合、ヒンジアタッチメント部品１２２ｂには、係止部品１４０ｂの一部のみにチルトヒンジ１０が係止される。
【００９８】
斯かる構成によれば、設置されるディスプレイ２２などの表示機器の荷重に応じて、チルトヒンジ１０の設置数の増減によるユニット化により、同一のスタンド２４に対し、表示機器の取替えが可能となる。また、同一のスタンド２４に対し、必要な支持力およびチルト操作力の設定を容易に行うことができる。そのほか、ディスプレイ以外の表示機器または他の製品などの形状やサイズが異なる表示機器に対し、ヒンジアタッチメント部品１２２を介して支持させることで、チルトヒンジ１０による支持状態を一定にでき、支持機能の安定化を図ることができる。
【００９９】
〔第４の実施の形態〕
【０１００】
図２６、図２７は、第４の実施の形態に係る表示装置の構成例を示している。図２６、図２７に示す構成は一例である。
【０１０１】
図２６に示す表示装置１５０は、たとえばディスプレイ１５２の背面側に固定された支持部品１５４を介してディスプレイ１５２をスタンド２４に立設させる。支持部品１５４は、たとえばネジや係止ピンなどの固定部品１５６とディスプレイ１５２の固定孔１５８によって固定されてディスプレイ１５２を支持する支持手段の一例である。ディスプレイ１５２に形成された固定孔１５８は、たとえばＶＥＳＡ（Video Electronics Standard Association）によって規定されたＦＰＭＰＭＩ（Flat Panel Monitor Physical Mounting Interface）規格に準じて形成されている。これにより固定孔１５８は、たとえばディスプレイ１５２のサイズに基づいて孔の形成位置や数、および孔同士の間隔などが設定される。
【０１０２】
支持部品１５４は、ディスプレイ１５２の設置部分から離間した端部側をスタンド２４のチルトヒンジ設置部３２に対して配置され、チルトヒンジ１０を介して設置されている。支持部品１５４は、たとえば一定の剛性を持った板金で構成されている。ディスプレイ１５２は、図２７に示すように、支持部品１５４を介して背面側にチルトヒンジ１０による支持力およびチルト操作に対するトルクが作用する。そして、支持部品１５４は、ディスプレイ１５２に対してユーザによるチルト操作が行われると、そのチルト操作力をチルトヒンジ１０側に伝達させる。そして一定のチルト操作力に対し、チルトヒンジ１０がチルト動作することで傾斜し、ディスプレイ１５２をチルトさせる。
【０１０３】
このスタンド２４は、ＶＥＳＡのＦＰＭＰＭＩ規格の固定孔１５８が形成されたディスプレイ１５２の荷重に応じて、チルトヒンジ１０の設置数や設置位置の組合わせが設定される。チルトヒンジ１０の設置数および設置位置は、既述の組合わせテーブル９２を利用すればよい。また、表示装置１５０は、ディスプレイ１５２の重心位置に近い本体部分に形成された固定孔１５８を介してチルトヒンジ１０のトルクが作用する。チルト操作力の設定では、たとえば新たなチルトヒンジ組合わせテーブルを用いてもよい。
【０１０４】
支持部品１５４は、たとえば図２８に示すように、支持するディスプレイ１５２の背面側に平行に配置される胴体部１６０と、胴体部１６０の一面に形成された支持ガイド１６２、ディスプレイ１５２の底面側に配置される底面部１６４を備える。また支持部品１５４には、たとえば底面部１６４上に設置された載置部品１６６、底面部１６４の一端側に形成されチルトヒンジ１０に固定される固定片部１６８、また支持部品１５４の先端部に形成され、チルトヒンジ１０の溝部７６に嵌合される嵌合部１７２を備える。固定片部１６８には、たとえばチルトヒンジ１０を貫通した固定部品４１を貫通させて支持される支持孔１７０を備える。支持部品１５４は、たとえば載置部品１６６を除き、一体で構成されればよく、板金部材を屈曲させて形成される。
【０１０５】
支持部品１５４は、たとえばディスプレイ１５２との間に所定の間隔を形成させる支持ガイド１６２が形成されている。支持ガイド１６２は、固定部品１５６による固定位置に合わせて形成されており、内部に固定部品１５６を貫通させる貫通孔が形成される。支持ガイド１６２の貫通孔は、固定部品１５６を締結させるネジ構造を形成してもよい。
【０１０６】
固定片部１６８は、たとえばチルトヒンジ設置部３２内に対し、ディスプレイ１５２や他の表示機器の荷重によって設定される１または複数のチルトヒンジ１０に設置可能な幅で形成されている。そして支持孔１７０は、チルトヒンジ設置部３２内に設置可能なチルトヒンジ１０の最大数分が形成されればよい。
【０１０７】
支持部品１５４は、図２９に示すようにチルトヒンジ１０に対し、支持片７０、７２の間に形成される溝部７６内に嵌合部１７２が配置され、支持片７０側に固定片部１６８を接触させる。この嵌合部１７２は、溝部７６の幅に応じた長さに形成することで、支持片７０に対し固定片部１６８を接触位置に配置させる。固定片部１６８は、固定部品４１によってチルトヒンジ１０の支持片７０に固定される。
【０１０８】
なお、チルトヒンジ１０に対する固定片部１６８の設置位置は、支持片７０に限られず、支持片７２側に接触させる構成であってもよい。この場合、固定片部１６８に対し、嵌合部１７２を逆方向に形成すればよい。
【０１０９】
底面部１６４は、たとえば載置部品１６６を介してディスプレイ１５２を支持する。載置部品１６６は、ディスプレイ１５２の筐体底面の一部に接触して支持する手段であり、柔軟性をもつ、またはゴム等の弾性変形可能な樹脂部材で構成される。この載置部品１６６によってディスプレイ１５２の底面部分が支持されることで、チルト操作において、ディスプレイ１５２と胴体部１６０との傾斜角度を一定にでき、固定部品１５６や固定孔１５８に対して過度な負荷が掛かるのを防止できる。
【０１１０】
なお、支持ガイド１６２は、たとえば設置されるディスプレイ１５２の筐体形状に応じて、長さを調整可能にしてもよい。たとえばディスプレイ１５２の背面側筐体が突出している場合または薄型の場合に応じて支持ガイド１６２の交換や長さ調整を行い、ディスプレイ１５２の底面側が載置部品１６６の適正位置に載置させるように調整してもよい。
【０１１１】
＜表示装置の他の構成例について＞
【０１１２】
図３０、図３１、図３２は、表示装置の他の構成例を示している。図３０、図３１、図３２に示す構成は一例である。
【０１１３】
図３０に示す表示装置１５０は、ディスプレイ１５２に形成されたＶＥＳＡ規格の固定孔１５８を利用した支持部品１５４を利用し、ディスプレイ１５２を壁面１０１（図３２）に立て掛ける状態で支持させる構成例を示している。スタンド１７４は、たとえば背面側を図示しない壁面に対して接触させるように設定されている。そして支持部品１５４は、ディスプレイ１５２の背面部分に平行に設置される胴体部１６０の平面部分をスタンド１７４のディスプレイ設置面側に立設させる。そして、ディスプレイ１５２は、背面側を支持部品１５４に接触させ、固定孔１５８に対して固定部品１５６を挿通させて支持される。
【０１１４】
スタンド１７４は、図３１に示すようにチルトヒンジ設置部３２に立設された立壁部３６の底面側にチルトヒンジ１０を載置させる載置部１８０を備える。この載置部１８０には、固定手段３７を貫通させてチルトヒンジ１０を載置部１８０に連結させる連結孔３４が複数形成される。チルトヒンジ１０の設置数および設置位置は、ディスプレイ２２の荷重に基づき、既述の組合わせテーブル９２を参照して設定される。
【０１１５】
支持部品１５４は、たとえば胴体部１６０に対して固定部品１５６のみでディスプレイ１５２を固定支持させる構成であり、底面部１６４が形成されない。支持部品１５４に対する底面部１６４は、たとえば立壁部３６の載置部１８０の幅やチルトヒンジ１０の設置位置とスタンド１７４との間の距離に応じて形成してもよい。
【０１１６】
チルトヒンジ１０は、図３２に示すようにチルト台座６０（図１１）を載置部１８０上に設置され、立壁部３６の底面側から貫通した固定手段３７で固定される。スタンド１７４は、たとえば壁面１０１に対して、ネジやボルトなどによって締結され、または接着材などを介して固定させてもよい。
【０１１７】
そして設定された設置数および設置位置に基づいて載置部１８０上にチルトヒンジ１０が設置され、固定手段３７によって固定される。ディスプレイ１５２は、背面側の固定孔１５８に支持部品１５４の支持ガイド１６２を配置させ、固定部品１５６を締結させる。
【０１１８】
これによりディスプレイ１５２は、支持部品１５４とともにチルトヒンジ１０によって回動することで、壁面１０１に対して平行状態と直交状態との間の角度で支持される。
【０１１９】
斯かる構成によれば、設置されるディスプレイ２２などの表示機器の荷重に応じて、チルトヒンジの設置数の増減によるユニット化により、同一のスタンドに対し、表示機器の取替えが可能となる。また、同一のスタンドに対し、設置される表示機器に応じた必要な支持力およびチルト操作力の設定を容易に行うことができる。そのほか、チルトヒンジに対して支持部品を介して表示機器を支持させることで、ディスプレイ以外の表示機器または他社製品の表示機器を利用する場合でも支持構造を一定にできる。チルトヒンジの設置部分の形状を一定化できるので、表示機器の外形寸法の違いによる影響を抑え、荷重に基づき最適なチルト操作力が設定できる。
【０１２０】
〔第５の実施の形態〕
【０１２１】
図３３は、第５の実施の形態に係る表示装置の外観構成例を示している。図３３に示す構成は一例であり、本発明が斯かる構成に限定されるものではない。
【０１２２】
図３３に示す表示装置１９０は、スタンド１９２とディスプレイ１９４とを電気的に接続させるクレードル機能を備えている。スタンド１９２は、ヒンジ装置の一例であり、チルトヒンジ設置部１９６が形成され、ディスプレイ１９４を支持するとともにチルト動作させるチルトヒンジ１０、１９８が設置される。
【０１２３】
チルトヒンジ１９８は、ディスプレイ１９４に対する接続機能を備えており、ディスプレイ１９４が載置される溝部内に１または複数の接続端子２００を備えている。この接続端子２００は、たとえばディスプレイ１９４の係止部品２０２に設置された端子部２０４と接触することで、ディスプレイ１９４に対して給電する給電端子の一例である。
【０１２４】
ディスプレイ１９４は、外装筐体の下部側にチルトヒンジ１０、１９８に係止させる係止部品２０２が形成される。係止部品２０２は、たとえばチルトヒンジ１０、１９８の溝部内に嵌合され、図示しない固定部品によって係止される。係止部品２０２には、たとえば底面側の一部に１または複数の端子部２０４が形成され、チルトヒンジ１９８の接続端子２００と接触することで電力の供給を受ける受電機能を備える。端子部２０４は、たとえばディスプレイ１９４、または係止部品２０２の中央位置に形成すればよく、チルトヒンジ１９８にのみ係止される位置に配置される。つまり、端子部２０４はチルトヒンジ１０、１９８に跨って配置させないように設定される。
【０１２５】
チルトヒンジ設置部１９６は、スタンド１９２の一部に、複数のチルトヒンジ１０、１９８を着脱可能に形成されている。チルトヒンジ１０、１９８は、支持するディスプレイ１９４の筐体形状に沿って一列に配置され、ディスプレイ１９４の荷重に応じて設置数および設置位置が設定される。チルトヒンジ１０は、既述の組合わせテーブル９２を利用して、設定トルク値や設置数、設置位置などを決定すればよい。
【０１２６】
またチルトヒンジ１９８は、たとえばチルトヒンジ組合わせテーブル９２によって設定された設置数が決められるとともに、ディスプレイ１９４の端子部２０４の接続位置に合わせて設置位置が設定されればよい。
【０１２７】
図３４に示すディスプレイ１９４は、たとえば表示制御や電力制御などを行う制御部２１０を備えており、この制御部２１０が係止部品２０２の端子部２０４と電気的に接続されている。これにより制御部２１０は、端子部２０４の受電機能部によって、スタンド１９２側から電力が供給される。制御部２１０は、たとえばプロセッサなどを備えるコンピュータで構成されている。
【０１２８】
スタンド１９２は、たとえば内部に給電回路２１２を備えており、外部のＡＣ電源２１４と接続されて電力の供給を受けている。また給電回路２１２は、チルトヒンジ１９８の接続端子２００に接続されている。そして、接続端子２００は、ディスプレイ１９４の設置により端子部２０４と接触することで、給電回路２１２から受けた電力を端子部２０４側に供給する。
【０１２９】
これによりディスプレイ１９４は、スタンド１９２から受けた電力を利用して稼動し、または図示しないバッテリ機能に対して充電する。
【０１３０】
チルトヒンジ１９８の接続端子２００は、溝部内に形成される場合に限られず、たとえば図３５に示すように、支持片の側面側に形成してもよい。この場合、ディスプレイ１９４側の端子部２０４は、たとえば係止部品２０２の側面側に設定すればよい。
【０１３１】
なお、ディスプレイ１９４に対する給電機能は、スタンド１９２内に構成される場合に限られず、たとえばチルトヒンジ１９８が独立して備えてもよい。このチルトヒンジ１９８は、たとえばチルト機構を備えるとともに内部に給電回路２１２を備え、外部のＡＣ電源２１４に接続させてもよい。これにより、クレードル機能を備えないスタンドに対して、給電機能を備えるチルトヒンジ１９８を設置することで、給電機能を備えることができる。
【０１３２】
また、チルトヒンジ１９８に形成した接続端子２００によるクレードル機能は、たとえばディスプレイ１９４に対する給電に限られない。接続端子２００は、たとえば他の電子機器などに接続したスタンド１９２を介してデータの授受を行う構成にしてもよい。
【０１３３】
斯かる構成によれば、スタンドに対してチルトヒンジの設置数を増減させる構成により、異なるディスプレイや他の表示機器の間で同一のスタンドを利用することができる。また、端子部を備えるチルトヒンジを設置することで、スタンドがクレードルとして利用でき、ヒンジ装置の利便性が高められる。
【０１３４】
以上説明した各実施形態について、その特徴事項を以下に列挙する。
【０１３５】
(1)  本開示のヒンジ装置および電子機器は、サイズの異なる複数のディスプレイなどの表示機器に対してスタンドを共通化し、このスタンドによって設定されるチルト操作力を表示機器のサイズに合わせて最適化させる構造を備える。スタンドは、同じトルク値あるいは、異なるトルク値が設定されたチルトヒンジを単数または複数個組合わせて設置して、スタンド本体部の設定範囲内で、異なるサイズの表示機器に対してチルト操作力を最適化する。
【０１３６】
(2)  このヒンジ装置および電子機器では、設置される種々の表示機器毎に質量情報や重心位置情報、チルト動作の回動支点の位置情報などを用いた個別のチルト操作力の専用設計が不要になり、製造処理の簡易化などが図れる。
【０１３７】
(3)  ヒンジ装置および電子機器は、チルトヒンジを直列にブロックのように組み合せることにより、チルト操作力をリニアに調整可能な構造とすることで、様々なサイズの表示機器の使用に対応したスタンドが提供できる。
【０１３８】
(4)  スタンドは、取り付けたチルトヒンジから、表示機器側へ電力供給を行うことで、クレードル機能を有する。また、スタンドは、電力供給機能に限られず、表示機器とスタンド本体部側との間でＵＳＢ（Universal Serial Bus）などのインターフェースコネクタを備えてもよい。これにより、スタンドは、ＵＳＢ−ＨＵＢ機能や表示機器との間でデータなどを授受するドッキングステーションとして利用してもよい。
【０１３９】
(5)  ヒンジ装置および電子機器は、設置される表示機器のサイズに関わらず、最適なチルト操作力を提供でき、且つ様々なレイアウト（使用環境）に対応するスタンドを提供できる。
【０１４０】
〔その他の実施の形態〕
【０１４１】
(1)  上記実施の形態では、ディスプレイ２２の荷重に基づいて設定された複数のチルトヒンジ１０は、連結され、または一定の間隔を持たせてチルトヒンジ設置部３２の中央部側に設置される場合を示したがこれに限られない。チルトヒンジ１０は、たとえば図３６に示すように、チルトヒンジ設置部３２の両端側に離間して設置させるとともに、左右の設置数を異ならせてもよい。
【０１４２】
既述のようにチルトヒンジ設置部３２に設置されるチルトヒンジ１０は、連結手段により連結され、またはディスプレイ２２の底面側筐体に沿って一列に接続されることで一体化して機能する。これにより、ディスプレイ２２に対する支持力およびチルト操作力は、各チルトヒンジ１０の設定トルクの合力によって設定される。そこで、組合わせテーブル９２によって設定された設置数および選択されたチルトヒンジ１０について、チルトヒンジ設置部３２に対する設置位置を任意に変更して設置してもよい。
【０１４３】
スタンド２４に対するチルトヒンジ１０の設置位置は、たとえばディスプレイ２２のチルト操作において、チルト操作を行うための力が加えられる側のトルクが強くなるように設定してもよい。ディスプレイ２２のチルト操作において、たとえば筐体の右側上部が把持されて力が加えられる場合、チルトヒンジ設置部３２には、右側のチルト操作力が大きくなるようにチルトヒンジ１０を配置させる。これにより、ディスプレイ２２は、たとえば右側のみに加えられる力に対して、右側に大きなチルト操作力が作用することで、ディスプレイ２２の中心を基準にしたねじれの発生を抑制することができる。
【０１４４】
チルトヒンジ１０の設置処理では、たとえばチルト操作力を大きくする側に多くのチルトヒンジ１０を設置するほか、設定トルクが大きいチルトヒンジ１０に変更して設置してもよい。
【０１４５】
(2)  上記実施の形態では、スタンド２４に対して１つのチルトヒンジ設置部３２が形成される場合を示したがこれに限られない。表示装置２２０は、図３７に示すように、スタンド２２２上に複数のチルトヒンジ設置部３２を形成し、複数のディスプレイ２２を設置可能な構成となっている。この表示装置２２０は、たとえばディスプレイ２２の背面同士を対向させて配置した、所謂表裏対向モニタとして機能する。ディスプレイ２２は、それぞれ上下方向に任意の角度でチルト可能に設置されている。
【０１４６】
そのほか表示装置２２０は、たとえばスタンド２２２に対して複数のチルトヒンジ設置部３２を直列に設置し、複数のディスプレイ２２を同方向にむけて配置させてもよい。これにより、表示装置２２０は、同一の画像を複数の表示部に表示させてもよく、または複数のディスプレイ２２を連動させて１の画像を表示させる、所謂マルチモニタとして機能させることができる。この場合、各ディスプレイ２２は、それぞれ独立したチルト動作が可能にチルトヒンジ設置部３２が設定されている。
【０１４７】
スタンド２２２は、たとえば設置させるディスプレイ２２の大きさや設置数に応じて縦横幅のサイズが設定されればよい。
【０１４８】
(3)  上記実施の形態では、ディスプレイ２２を上下方向にチルトさせるスタンドを用いる場合を示したが、これに限られない。図３８に示す表示装置２３０は、ディスプレイ２２を左右方向に回動させるスタンド２３２が用いられる。スタンド２３２は、たとえば外側筐体２３３と内側筐体２３４が嵌め合わされて構成しており、外側筐体２３３に対して内側筐体２３４が回動する。内側筐体２３４上には、１または複数のチルトヒンジ１０を介してディスプレイ２２を支持するチルトヒンジ設置部２３６が形成される。チルトヒンジ設置部２３６には、複数のチルトヒンジ１０を載置させ、ディスプレイ２２の筐体に沿って一例に配置させる載置面部２３８が形成される。載置面部２３８は、たとえばディスプレイ２２の荷重に応じてチルトヒンジ１０を着脱可能にする複数の連結孔４１が形成れればよい。チルトヒンジ１０は、内側筐体２３４の底面側から固定部品２４０によって載置面部２３８に固定される。
【０１４９】
(4)  上記実施の形態では、ディスプレイ２２は、底面側に係止部品４０が形成され、この係止部品４０をスタンド２４に設置されたチルトヒンジ１０に係止させる構成を示したがこれに限られない。ディスプレイ２２は、たとえば筐体の左右または上部側において、支持部品などに設置されたチルトヒンジ１０を介してスタンド２４に支持されてもよい。この支持部品は、たとえば一端側をネジなどの固定部品でチルトヒンジ設置部３２に固定し、他端の先端側に単数または複数のチルトヒンジ１０が設置される。そして、ディスプレイ２２は、たとえば筐体の背面側などに係止部品４０を備え、支持部品に設置されたチルトヒンジ１０に対して係止させてもよい。
【０１５０】
次に、以上述べた実施の形態に関し、更に以下の付記を開示する。以下の付記に本発明が限定されるものではない。
【０１５１】
（付記１）表示機器を任意の角度に傾斜させて支持するチルトヒンジと、
前記チルトヒンジを介して前記表示機器を立設させ、前記チルトヒンジの着脱により前記表示機器の荷重に応じて前記表示機器に対するチルト操作力が調整される調整機構が形成されたスタンド本体部と、
を備えることを特徴とする、ヒンジ装置。
【０１５２】
（付記２）前記スタンド本体部は、前記チルトヒンジの設置位置をガイドするガイド手段が形成され、
該ガイド手段は、前記表示機器に沿って前記チルトヒンジを配置させることを特徴とする、付記１に記載のヒンジ装置。
【０１５３】
（付記３）前記調整機構は、複数の前記チルトヒンジを隣接して配置させ、または一定の間隔を持たせて配置させることを特徴とする、付記１または付記２に記載のヒンジ装置。
【０１５４】
（付記４）前記チルトヒンジは、他の前記チルトヒンジと連結させる連結手段を備え、
該連結手段により隣接した前記チルトヒンジ同士を連結してチルト動作させることを特徴とする、付記１ないし付記３のいずれかに記載のヒンジ装置。
【０１５５】
（付記５）前記スタンド本体部は、設置される前記表示機器の荷重に基づく必要トルク値から、少なくとも各チルトヒンジのトルク値に応じて設定された数の前記チルトヒンジが設置されることを特徴とする、付記１ないし付記４のいずれかに記載のヒンジ装置。
【０１５６】
（付記６）さらに、前記表示機器の一部を支持するとともに、前記チルトヒンジに接続される支持手段を備えることを特徴とする、付記１ないし付記５のいずれかに記載のヒンジ装置。
【０１５７】
（付記７）表示機器と、
該表示機器を任意の角度に傾斜させて支持するチルトヒンジと、
前記チルトヒンジを介して前記表示機器を立設させ、前記チルトヒンジの着脱により前記表示機器の荷重に応じて前記表示機器に対するチルト操作力が調整される調整機構が形成されたスタンド本体部と、
を備えることを特徴とする、電子機器。
【０１５８】
（付記８）さらに、前記表示機器の一部を支持し、前記チルトヒンジに接続される支持手段を備え、
前記表示機器は、該支持手段を介して前記チルトヒンジに設置されることを特徴とする、付記７に記載の電子機器。
【０１５９】
（付記９）前記表示機器は、一部に前記チルトヒンジに係止させる係止手段を備えることを特徴とする、付記７または付記８に記載の電子機器。
【０１６０】
以上説明したように、本発明の最も好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１６１】
２  電子機器
４、４ａ、４ｂ、４ｃ  表示機器
６  ヒンジ装置
８、３０  スタンド台座
１０、１９８  チルトヒンジ
１２、３２、１９６、２３６  チルトヒンジ設置部
２０、１２０、１５０、１９０、２２０、２３０  表示装置
２２、１５２、１９４  ディスプレイ
２４、１７４、１９２、２２２、２３２  スタンド
３４  連結孔
３６、１０２  立壁部
３７  固定手段
４０、１４０ａ、１４０ｂ、２０２  係止部品
４１、１５６、２４０  固定部品
４２  係止孔
４３  嵌合凸部
４４、４６  係合片
４８、１１０、１１４  凸部
５０、５６  切り欠き部
５２、１１２  凹部
５４、１３４、１３６  ガイド爪
５８  ガイド凹部
６０  チルト台座
６２  チルトフレーム
６４  シャフト
６６、１５８  固定孔
７０、７２  支持片
７４  嵌合凹部
７６  溝部
７８  貫通孔
８０、８２  連結凸部
８４、８６  連結凹部
９２  チルトヒンジ組合わせテーブル
１０４  ガイド溝
１０６、１２４、１８０  載置部
１２２、１２２ａ、１２２ｂ  ヒンジアタッチメント部品
１２６、１２８  支持フレーム
１３０、１３２  係止片
１５４  支持部品
２００  接続端子
２０４  端子部
２１０  制御部
２１２  給電回路
【図１】
2014132179.tif 000003
【図２】
2014132179.tif 000004
【図３】
2014132179.tif 000005
【図４】
2014132179.tif 000006
【図５】
2014132179.tif 000007
【図６】
2014132179.tif 000008
【図７】
2014132179.tif 000009
【図８】
2014132179.tif 000010
【図９】
2014132179.tif 000011
【図１０】
2014132179.tif 000012
【図１１】
2014132179.tif 000013
【図１２】
2014132179.tif 000014
【図１３】
2014132179.tif 000015
【図１４】
2014132179.tif 000016
【図１５】
2014132179.tif 000017
【図１６】
2014132179.tif 000018
【図１７】
2014132179.tif 000019
【図１８】
2014132179.tif 000020
【図１９】
2014132179.tif 000021
【図２０】
2014132179.tif 000022
【図２１】
2014132179.tif 000023
【図２２】
2014132179.tif 000024
【図２３】
2014132179.tif 000025
【図２４】
2014132179.tif 000026
【図２５】
2014132179.tif 000027
【図２６】
2014132179.tif 000028
【図２７】
2014132179.tif 000029
【図２８】
2014132179.tif 000030
【図２９】
2014132179.tif 000031
【図３０】
2014132179.tif 000032
【図３１】
2014132179.tif 000033
【図３２】
2014132179.tif 000034
【図３３】
2014132179.tif 000035
【図３４】
2014132179.tif 000036
【図３５】
2014132179.tif 000037
【図３６】
2014132179.tif 000038
【図３７】
2014132179.tif 000039
【図３８】
2014132179.tif 000040